(57)【要約】【課題】光束を遮光することに伴う温度上昇を抑制した調光装置を備えたプロジェクターを提供する。【解決手段】プロジェクターは、光源から射出された光束の通過光量を調整する調光装置５を有する。調光装置５は、光束の一部を遮光する遮光部材８，９と、遮光部材８，９を直接的に保持し、遮光部材８，９の位置を変えるために回転する位置変更部と、を備える。遮光部材８，９は、互いに離間する遮光本体後段部８１および遮光本体前段部８３、遮光本体後段部９１および遮光本体前段部９３をそれぞれ有し、遮光本体後段部８１および遮光本体前段部８３、遮光本体後段部９１および遮光本体前段部９３にて前記光束を遮光する。【選択図】図３
2010243976.tif 000002
【特許請求の範囲】
【請求項１】
光源から射出された光束の通過光量を調整する調光装置、前記調光装置を通過した光束を画像情報に応じて変調して画像光を形成する電気光学装置、および前記画像光を投写する投写光学装置を有するプロジェクターであって、
前記調光装置は、
前記光束の一部を遮光する遮光部材と、
前記遮光部材を保持し、前記遮光部材の位置を変えるために移動または回転する位置変更部と、
を備え、
前記遮光部材は、互いに離間して配置され、前記光束を遮光する複数の遮光本体部を有することを特徴とするプロジェクター。
【請求項２】
請求項１に記載のプロジェクターであって、
前記複数の遮光本体部は、互いの一端側が繋がり、他端側から前記一端側に向かう部位にて前記光束を遮光するように形成されていることを特徴とするプロジェクター。
【請求項３】
請求項１または請求項２に記載のプロジェクターであって、
前記複数の遮光本体部は、光路前段側に配置される遮光本体前段部、および前記遮光本体前段部の光路後段側に配置される遮光本体後段部を備え、
前記遮光本体前段部は、前記光束の通過可能な光束通過孔を有し、
前記遮光本体後段部は、前記光束通過孔を通過した光束を遮光するように形成されていることを特徴とするプロジェクター。
【請求項４】
請求項１〜請求項３のいずれか一項に記載のプロジェクターであって、
前記複数の遮光本体部は、最も大きな光量の前記光束を遮光する状態において、前記光束の入射する入射側端面が前記光束の光軸に対して傾斜するように形成されていることを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成し、その画像光をスクリーン等に投写するプロジェクターが知られている。プロジェクターは、企業内でのプレゼンテーションや、家庭内での映画鑑賞等の種々の用途に用いられている。そして、画像のコントラストを向上させるために、調光装置を用いて光源から射出された光束の光量を調整する技術が提案されている（例えば、特許文献１参照）。
【０００３】
特許文献１に記載の調光装置は、矩形筒状の固定部材、固定部材に取り付けられた支持軸（回動軸）、光源から射出された光束を部分的に遮蔽する遮蔽部材、駆動ギア、ピニオンを有するモーター等を備え、光学部品用筐体内に配置される。
遮蔽部材は、一方の端部に駆動ギアが取り付けられ、この駆動ギアは、ピニオンに噛合され、支持軸に回転可能に支持されている。遮蔽部材の他方の端部は、固定部材に回転可能に支持されている。そして、調光装置は、モーターが駆動されると、駆動ギアが回転されて遮蔽部材の位置が変更され、遮蔽部材の位置に応じて光源からの光束を部分的に遮蔽して光量を調整する。
【先行技術文献】
【特許文献】
【０００４】
【特許文献１】特開２００７−７１９１３号公報
【発明の概要】
【発明が解決しようとする課題】
【０００５】
しかしながら、特許文献１に記載の調光装置は、遮蔽部材が光束を遮蔽することに伴って発熱した際に、遮蔽部材の熱が遮蔽部材の近傍に配置されている駆動ギアやモーター等に伝導することが考えられる。そうすると、駆動ギアが変形したり、モーターが適正な性能を発揮することができなくなったりして、遮蔽部材が精度良く位置変更されず、調光装置は、適正に光量を調整することができなくなる恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束の通過光量を調整する調光装置、前記調光装置を通過した光束を画像情報に応じて変調して画像光を形成する電気光学装置、および前記画像光を投写する投写光学装置を有するプロジェクターであって、前記調光装置は、前記光束の一部を遮光する遮光部材と、前記遮光部材を保持し、前記遮光部材の位置を変えるために移動または回転する位置変更部と、を備え、前記遮光部材は、互いに離間して配置され、前記光束を遮光する複数の遮光本体部を有することを特徴とする。
【０００８】
この構成によれば、プロジェクターは、調光装置を備え、調光装置は、遮光部材が光束の一部を遮光することによって光量を調整する。そして、遮光部材は、互いに離間する複数の遮光本体部を有し、この複数の遮光本体部にて光束を遮光する。つまり、遮光部材は、複数の遮光本体部が光束を分離して遮光する。これによって、遮光部材には、光エネルギーが分散して吸収されるので、遮光部材は、光束を分離せずに遮光するように構成した場合に比べて、温度上昇の抑制が図れる。したがって、遮光部材を保持する位置変更部や遮光部材の近傍に配置されている光学部品等の部材の温度上昇が抑制され、プロジェクターは、調光装置が適正に光量を調整し、コントラスト等の画像品質を安定的に維持して投写することが可能となる。
【０００９】
［適用例２］上記適用例に係るプロジェクターにおいて、前記複数の遮光本体部は、互いの一端側が繋がり、他端側から前記一端側に向かう部位にて前記光束を遮光するように形成されていることが好ましい。
【００１０】
この構成によれば、複数の遮光本体部は、互いの一端側が繋がり、他端側から一端側に向かう部位にて光束を遮光するように形成されている。これによって、各遮光本体部は、光束を遮光することに伴って他端側から発熱するが、この熱は、一端側を経由してそれぞれの遮光本体部に伝導される。つまり、遮光本体部は、互いに中間部や複数の端部が繋がっている場合に比べて、遮光本体部同士間の熱の伝導路を長く形成することが可能となる。よって、この伝導路において熱が分散するので、さらに遮光部材の温度上昇の抑制が可能となる。
【００１１】
［適用例３］上記適用例に係るプロジェクターにおいて、前記複数の遮光本体部は、光路前段側に配置される遮光本体前段部、および前記遮光本体前段部の光路後段側に配置される遮光本体後段部を備え、前記遮光本体前段部は、前記光束の通過可能な光束通過孔を有し、前記遮光本体後段部は、前記光束通過孔を通過した光束を遮光するように形成されていることが好ましい。
【００１２】
この構成によれば、遮光本体前段部には、光束通過孔が形成され、遮光本体後段部は、光束通過孔を通過した光束を遮光するように形成されている。これによって、遮光本体部の数を抑制して遮光する光束を効率的に分離することが可能となるので、遮光部材の簡素な形状や、遮光部材の小型化が図れる。また、光束通過孔を空気の流通路として構成することで、遮光本体前段部と遮光本体後段部との間に効率よく空気を流通させることが可能になる。これによって、両者の間に熱が篭ることを抑制し、さらに遮光部材の温度上昇の抑制が図れる。
【００１３】
［適用例４］上記適用例に係るプロジェクターにおいて、前記複数の遮光本体部は、最も大きな光量の前記光束を遮光する状態において、前記光束の入射する入射側端面が前記光束の光軸に対して傾斜するように形成されていることが好ましい。
【００１４】
この構成によれば、複数の遮光本体部は、最も大きな光量の光束を遮光する状態において、入射側端面が光軸に対して傾斜しているように形成されている。これによって、遮光本体部は、入射側端面が光軸に対して略直交するように形成されている場合に比べて、表面積が大きく形成されるので、遮光部材は、温度上昇がさらに抑制される。
【図面の簡単な説明】
【００１５】
【図１】第１実施形態のプロジェクターの概略構成を示す模式図。
【図２】第１実施形態の光学ユニットの斜視図。
【図３】第１実施形態の調光装置を後方から見た斜視図。
【図４】第１実施形態の調光装置を前方から見た斜視図。
【図５】第１実施形態の遮光部材の斜視図。
【図６】第１実施形態の調光装置の動作を説明するための模式図であり、（ａ）は、遮光部材が互いに最も近接するように透過領域内に配置された状態を示す図、（ｂ）は、遮光部材が（ａ）における状態から回動された状態を示す図。
【図７】第２実施形態の第１レンズアレイ、第２レンズアレイおよび遮光部材の模式図であり、（ａ）は、遮光部材が互いに最も近接するように透過領域内に配置された状態を示す図、（ｂ）は、遮光部材が（ａ）における状態より離間するように回動された状態の図。
【図８】第３実施形態の第１レンズアレイ、第２レンズアレイおよび遮光部材を上方から見た模式図。
【発明を実施するための形態】
【００１６】
（第１実施形態）
以下、第１実施形態に係るプロジェクターについて、図面を参照して説明する。
本実施形態のプロジェクターは、光源から射出された光束を画像情報に応じて変調して画像光を形成し、その画像光をスクリーン等に拡大投写する。
図１は、本実施形態のプロジェクターの概略構成を示す模式図である。
図１に示すように、プロジェクター１は、外装筐体２、制御部（図示省略）、光源３１１を有する光学ユニット３、および光源３１１や制御部に電力を供給する電源装置４等を備えている。なお、具体的な図示は省略したが、外装筐体２内には、プロジェクター１内部を冷却する冷却ファン等が配置されるものとする。
【００１７】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００１８】
光学ユニット３は、制御部による制御の下、光源３１１から射出された光束を光学的に処理し、画像情報に応じた画像光を形成して投写する。
図１に示すように、光学ユニット３は、光源装置３１、照明光学装置３２、色分離光学装置３３、リレー光学装置３４、電気光学装置３５、投写光学装置としての投写レンズ３６、およびこれら各光学部品３１〜３６を所定位置に配置する光学部品用筐体６を備える。
【００１９】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２０】
照明光学装置３２は、第１レンズアレイ３２１、第２レンズアレイ３２２、偏光変換素子３２３、重畳レンズ３２４および調光装置５を備える。
第１レンズアレイ３２１は、光源３１１から射出された光束の光軸Ｌ方向から見て略矩形の輪郭を有する小レンズがマトリックス状に配列された構成を有しており、光源装置３１から射出された光束を複数の部分光束に分割する。第２レンズアレイ３２２は、第１レンズアレイ３２１と略同様の構成を有しており、重畳レンズ３２４とともに、部分光束を後述する液晶パネル３５２の表面に略重畳させる。偏光変換素子３２３は、第２レンズアレイ３２２から射出されたランダム偏光光を液晶パネル３５２で利用可能な略１種類の偏光光に揃える機能を有する。
【００２１】
調光装置５は、光源３１１から射出された光束の一部を遮光する遮光部材８，９（図２参照）を備え、光束の通過光量を調整する機能を有している。
調光装置５は、遮光部材８，９が第１レンズアレイ３２１と第２レンズアレイ３２２との間に配設され、制御部による制御のもと、この遮光部材８，９の位置が変更される。そして、調光装置５は、光源３１１から射出され、第１レンズアレイ３２１を透過した光束の一部を遮光部材８，９にて遮光して第２レンズアレイ３２２に入射する光量、ひいては、電気光学装置３５に入射する光量を調整し、投写画像のコントラスト向上に寄与する。なお、調光装置５の構成については、後で詳細に説明する。
【００２２】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２３】
リレー光学装置３４は、入射側レンズ３４１、リレーレンズ３４３、および反射ミラー３４２，３４４を備え、第２のダイクロイックミラー３３２を透過したＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００２４】
電気光学装置３５は、入射側偏光板３５１、光変調装置としての液晶パネル３５２、射出側偏光板３５３、色合成光学装置としてのクロスダイクロイックプリズム３５４を備える。電気光学装置３５は、色分離光学装置３３によって各色光に分離された光束を画像情報に応じて変調して画像光を形成する。
【００２５】
投写レンズ３６は、複数のレンズを組み合わせた組レンズとして構成され、電気光学装置３５にて形成された画像光をスクリーン上に拡大投写する。
このように、調光装置５を通過し、第２レンズアレイ３２２に入射した光束は、電気光学装置３５によってその光量に応じた光量の画像光が形成された後、投写レンズ３６によって投写される。
【００２６】
図２は、光学ユニット３の斜視図である。具体的に図２は、画像光が投写される方向とは反対方向から見た光学ユニット３の図であり、調光装置５を分解した状態を示す図である。
光学部品用筐体６は、図２に示すように、一方の端部に光源装置３１が着脱可能に配置され、他方の端部近傍に投写レンズ３６が配置される。なお、以下では、説明の便宜上、光源装置３１から光束が射出される方向を左方向（＋Ｚ方向）、Ｚ方向に直交し、画像光が投写される方向を前方向（＋Ｘ方向）、Ｚ方向およびＸ方向に直交し、図２の図面視における上を上方向（＋Ｙ方向）として記載する。
【００２７】
図２に示すように、光学部品用筐体６は、合成樹脂製でＺ方向に長く延出する箱状に形成されている。光学部品用筐体６は、上方向（＋Ｙ方向）に開口部を有し、前述した光学部品を収納する下部筐体６１と、この開口部を閉塞する上部筐体６２とを備えて構成されている。
【００２８】
下部筐体６１は、ＢＭＣ（Bulk Molding Compound）等の高耐熱材料で形成され、外装筐体２の底面に沿って配置される底面部と、底面部の端縁から起立する側面部６１１とを有している。そして、下部筐体６１は、これらにより、断面視略Ｕ字状に形成されている。下部筐体６１は、側面部６１１の内壁面に複数の溝が設けられており、第１レンズアレイ３２１等の各光学部品は、側端部がこの溝に挿入されて配置される。
【００２９】
図２に示すように、後側（−Ｘ側）の側面部６１１には、開口部６１１１が形成され、開口部６１１１の近傍には、複数のネジ穴６１１２が設けられている。調光装置５は、遮光部材８，９がこの開口部６１１１から挿入されて第１レンズアレイ３２１と第２レンズアレイ３２２との間に配置され、ネジ穴６１１２にネジＳＣが挿通されて下部筐体６１に取り付けられる。また、下部筐体６１の外周縁部には、上部筐体６２を取り付けるためのネジ穴が複数設けられている。
【００３０】
上部筐体６２は、ガラス繊維入りのＰＢＴ（PolyButyleneTerephthalate）等で形成され、下部筐体６１にネジ固定される。
このように、光学部品用筐体６は、光軸Ｌ上の所定位置に光学部品を配置する。
【００３１】
ここで、調光装置５について詳細に説明する。
図３、図４は、調光装置５を示す斜視図であり、下部筐体６１に取り付けられ、遮光部材８，９が最も多くの光束を遮光するように位置付けられた状態の調光装置５を示す図である。具体的に、図３は、調光装置５を後方から見た図、図４は、調光装置５を前方から見た図である。なお、図４は、第１レンズアレイ３２１および第２レンズアレイ３２２に対する調光装置５の位置を説明するために、模式的に示す第１レンズアレイ３２１および第２レンズアレイ３２２（二点鎖線で示す）を盛り込んだ図である。
調光装置５は、ベース部７、ステッピングモーター（以下「モーター」と略す）５１、第１ギア５２、第２ギア５３、第３ギア５４、センサー部５５、および遮光部材８，９を備えている。
【００３２】
ベース部７は、図３、図４に示すように、板金で形成されたベース本体７１、およびベース本体７１に取り付けられた支持軸７２，７３，７４を有している。そして、ベース部７は、図３に示すように、ベース本体７１の後側（−Ｘ側）の面７１Ａ側にモーター５１およびセンサー部５５を支持し、図４に示すように、ベース本体７１の前側（＋Ｘ側）の面７１Ｂ側に第１ギア５２、第２ギア５３および第３ギア５４を支持するように構成されている。
【００３３】
ベース本体７１は、平面視矩形状の第１保持部７１１と、第１保持部７１１の＋Ｚ側端部の略中央から延出する第２保持部７１２とを有している。
具体的に、第１保持部７１１は、図３、図４に示すように、上下の端部および左右の端部の一部が面７１Ｂ側に屈曲され、下側（−Ｙ側）、上側（＋Ｙ側）に軸取付孔７１１１，７１１２が形成され、−Ｚ側に丸孔７１１３が形成されている。また、第１保持部７１１には、図３に示すように、軸取付孔７１１１の中心軸を中心とする円弧状の貫通孔（案内溝７１１４）が形成されている。
第１保持部７１１の上下左右の端部が屈曲されている部位は、調光装置５が下部筐体６１に取り付けられた際に、ベース本体７１と下部筐体６１とで第２ギア５３および第３ギア５４を略包囲するように形成されており、第２ギア５３、第３ギア５４等に塵埃が付着することを抑制するように構成されている。
【００３４】
第２保持部７１２は、図４に示すように、中央部および＋Ｚ側に丸孔７１２１，７１２２が形成されている。また、図３に示すように、第２保持部７１２の右側（−Ｚ方向）には、軸取付孔７１２３が設けられている。
調光装置５は、丸孔７１１３，７１２２にネジが挿通され、図２に示すように、第２保持部７１２が左方（＋Ｚ方向）に位置し、ベース本体７１の面７１Ａが後方（−Ｘ方向）を向くように下部筐体６１の側面部６１１に取り付けられる。
【００３５】
支持軸７２，７３，７４は、第１ギア５２、第２ギア５３、第３ギア５４をそれぞれ回転可能に支持する部材である。
支持軸７２，７３，７４は、図４に示すように、ベース本体７１の面７１Ｂ側に取り付けられる。具体的に、支持軸７２，７３，７４は、金属製で円柱状に形成され、一方の端部がベース本体７１の軸取付孔７１２３，７１１１，７１１２にそれぞれ圧入され、他方の端部が前方（＋Ｘ方向）に突出するように取り付けられている。
【００３６】
モーター５１は、第１ギア５２を回転させる駆動力を発生するものであり、制御部により制御される。
モーター５１は、図３、図４に示すように、支持軸であるスピンドルを有するモーター本体５１１と、このスピンドルの先端に設けられたピニオン５１２とを備えている。モーター５１は、図３に示すように、ネジＳＣによってベース本体７１の面７１Ａに取り付けられる。具体的に、モーター５１は、モーター本体５１１がベース本体７１の面７１Ａ側（−Ｘ側）に配置され、丸孔７１２１からピニオン５１２が前方（＋Ｘ方向）に飛び出すように取り付けられる。
【００３７】
第１ギア５２は、ピニオン５１２に噛合され、モーター５１で発生した駆動力を第２ギア５３に伝達する。
具体的に、第１ギア５２は、合成樹脂製であり、図４に示すように、同軸上に積層されて形成された大ギア部５２１および小ギア部５２２を備えている。大ギア部５２１の径寸法は、ピニオン５１２および小ギア部５２２の径寸法より大きく設定されている。また、第１ギア５２には、回転中心軸を中心軸とする中心孔が形成されており、この中心孔は、支持軸７２の外径寸法より僅かに大きな内径寸法に設定されている。
第１ギア５２は、中心孔に支持軸７２が挿入され、大ギア部５２１がピニオン５１２に噛合されてベース本体７１の面７１Ｂ側に配置される。そして、第１ギア５２は、ピニオン５１２の回転を減速して第２ギア５３に伝達する。
【００３８】
第２ギア５３および第３ギア５４は、合成樹脂製であり、遮光部材８，９がそれぞれ取り付けられ、第１ギア５２の回転が伝達されて遮光部材８，９の位置を変える。具体的に、第２ギア５３は、第１ギア５２に噛合され、第３ギア５４は、第２ギア５３に噛合される。そして、第２ギア５３および第３ギア５４は、第１ギア５２を介して伝達されたモーター５１の駆動力によって互いに逆方向に回転する。第２ギア５３および第３ギア５４は、遮光部材８，９の位置を変えるために回転する位置変更部に相当する。
【００３９】
より具体的に、第２ギア５３は、図４に示すように、平面視半円形状を有しており、第１ギア５２に噛合される歯形がこの半円状の外周に形成されている（図示せず）。第２ギア５３には、回転中心軸を中心軸とする中心孔５３１が形成されており、この中心孔５３１の内径寸法は、支持軸７３の外径寸法より僅かに大きく設定されている。第２ギア５３は、図４に示すように、中心孔５３１に支持軸７３が挿入されてベース本体７１に組み込まれ、支持軸７３の軸心を中心に回転する。この歯形が形成されている範囲は、遮光部材８の位置が変更される範囲に対応して設定されている。調光装置５は、第２ギア５３が半円形状に形成されることで、円形状に形成される場合に比べて、小型化が図られている。
【００４０】
第２ギア５３は、図４に示すように、前側（＋Ｘ側）の面が中心孔５３１近傍から外周に向かって段差となる面５３Ａ，５３Ｂ，５３Ｃを有して形成され、面５３Ａが面５３Ｂより突出し、面５３Ｂが面５３Ｃより突出するように形成されている。
また、第２ギア５３には、周縁突起部５３２、減光部取付部５３３、係止突起部５３４および図示しない検知用突起部が形成されている。
周縁突起部５３２は、図４に示すように、半円状の外周に沿って面５３Ｃから突出して形成されており、その外形は、歯型の外形より外側に突出している。
【００４１】
減光部取付部５３３は、遮光部材８を取り付けるための部位であり、図４に示すように、第２ギア５３の−Ｚ側の端部に面５３Ｃより突出した部位を有して形成されている。減光部取付部５３３の−Ｚ側の面には、ネジ穴（図示せず）が設けられており、遮光部材８は、このネジ穴にネジが挿通されて第２ギア５３に取り付けられる。
【００４２】
係止突起部５３４は、減光部取付部５３３の近傍に設けられ、面５３Ａと反対側の面から後方（−Ｘ方向）に突出し、先端は、図３に示すように、Ｌ字状に屈曲している。係止突起部５３４は、第２ギア５３がベース本体７１に組み込まれる際に、ベース本体７１の案内溝７１１４に挿通され、先端の屈曲部がベース本体７１の面７１Ａに係合するように設定されている。そして、係止突起部５３４は、調光装置５が下部筐体６１に取り付けられていない状態において、第２ギア５３の所定の回転範囲内でベース本体７１から脱落しないようになっている。なお、第２ギア５３は、第３ギア５４がベース本体７１に組み込まれた後に、ベース本体７１に組み込まれる。
【００４３】
検知用突起部は、センサー部５５に備えられたフォトセンサーから照射される光を遮蔽する機能を有している。検知用突起部は、中心孔５３１の中心軸を中心軸とする円弧状の突起であり、面５３Ａと反対側の面から後方（−Ｘ方向）に突出している。
【００４４】
第３ギア５４は、図４に示すように、平面視半円形状を有しており、第２ギア５３に噛合される歯形がこの半円状の外周に形成されている。第３ギア５４には、回転中心軸を中心軸とする中心孔５４１が形成されており、この中心孔５４１の内径寸法は、支持軸７４の外径寸法より僅かに大きく設定されている。第３ギア５４は、図４に示すように、中心孔５４１に支持軸７４が挿入されてベース本体７１に組み込まれ、支持軸７４の軸心を中心に回転する。この歯形が形成されている範囲は、第２ギア５３と同様に、遮光部材９の位置が変更される範囲に対応して設定されている。調光装置５は、第３ギア５４が半円形状に形成されることで、円形状に形成される場合に比べて、小型化が図られている。
【００４５】
第３ギア５４は、図４に示すように、前側（＋Ｘ側）の面が中心孔５４１近傍から外周に向かって段差となる面５４Ａ，５４Ｂ，５４Ｃを有して形成され、面５４Ａが面５４Ｂより突出し、面５４Ｂが面５４Ｃより突出するように形成されている。
また、第３ギア５４には、遮光部材９を取り付けるための減光部取付部５４２が形成されている。減光部取付部５４２は、図４に示すように、第３ギア５４の−Ｚ側の端部に面５４Ｃより突出した部位を有して形成されている。減光部取付部５４２の−Ｚ側の面には、ネジ穴（図示せず）が設けられており、遮光部材９は、このネジ穴にネジが挿通されて第３ギア５４に取り付けられる。
【００４６】
図４に示すように、第３ギア５４が支持軸７４に挿入された後、第２ギア５３が支持軸７３に挿入されると、第３ギア５４は、周縁部の一部が第２ギア５３の周縁突起部５３２とベース本体７１とで狭装されるように配置される。つまり、調光装置５が下部筐体６１に取り付けられていない状態において、第２ギア５３が所定の回転範囲でベース本体７１から脱落しないようになっているので、第３ギア５４も第２ギア５３の所定の回転範囲でベース本体７１から脱落しないようになっている。
【００４７】
調光装置５が下部筐体６１に取り付けられると、第２ギア５３および第３ギア５４は、面５３Ｂ，５４Ｂがそれぞれ側面部６１１と僅かな隙間を有して配置される。つまり、第２ギア５３および第３ギア５４は、支持軸７３，７４の軸心に対して略直交する方向において、ベース部７と下部筐体６１とでそれぞれ狭装される。そして、第２ギア５３および第３ギア５４は、安定して回転することが可能となる。
【００４８】
センサー部５５は、第２ギア５３の位置、すなわち第２ギア５３に取り付けられている遮光部材８の位置を検出する機能を有している。センサー部５５は、図３に示すように、回路基板５５２および図示しないフォトセンサー等を備え、フォトセンサーがベース本体７１から前方（＋Ｘ方向）に飛び出すようにネジＳＣによって面７１Ａに取り付けられている。
センサー部５５は、第２ギア５３が回転されて所定の位置に達した際に、検知用突起部がフォトセンサーから照射される光を遮蔽する。そして、センサー部５５は、光の検出状態が変化することにより、第２ギア５３によって保持される遮光部材８の位置を検出する。そして、センサー部５５は、遮光部材８の位置の検出状態に係る検出信号を制御部に出力する。
【００４９】
遮光部材８，９は、図４に示すように、光軸Ｌを通るＸＺ平面に対して互いに略対称となるように形成されており、第１レンズアレイ３２１および第２レンズアレイ３２２の間に、遮光部材８が下側（−Ｙ側）、遮光部材９が上側（＋Ｙ側）に位置するように配置される。遮光部材８，９は、第２ギア５３、第３ギア５４の回転に伴って回動して位置が変更され、第１レンズアレイ３２１を透過した光束が射出される領域（以下「透過領域」という）内に、配置される部分が変わる。そして、遮光部材８，９は、透過領域内に配置された部分に応じた量の光束を反射する。つまり、遮光部材８，９は、光束を反射することによって、光束を遮光する。
【００５０】
遮光部材８，９は、図３、図４に示すように、最も多くの光束を遮光するように位置付けられた状態において、互いに最も近接するように配置される。
図５は、遮光部材９の斜視図であり、図３に示す調光装置５における遮光部材９を見た図である。遮光部材９は、アルミニウム等の板金から曲げ加工によって形成され、遮光本体部としての遮光本体後段部９１および遮光本体前段部９３を備えている。具体的に、遮光部材９は、図５に示すように、Ｙ方向に延出する遮光本体後段部９１、遮光本体後段部９１の上端部から略直角に屈曲され、−Ｚ方向に延出する継合部９２、および継合部９２の端部から略直角に屈曲され、遮光本体後段部９１と略平行に延出する遮光本体前段部９３を有している。このように、遮光本体後段部９１および遮光本体前段部９３は、互いに離間し、一端側が継合部９２によって繋がり、他端側が互いに空隙を有するように形成されている。
【００５１】
遮光本体後段部９１および遮光本体前段部９３は、光束を遮光するための部位であり、Ｘ方向が長手方向となる平面視矩形状にそれぞれ形成されている。遮光本体後段部９１は、この長手方向の寸法が第２レンズアレイ３２２における各小レンズが形成された領域における同方向の寸法に応じて設定され、短手方向の寸法が、同じく各小レンズが形成された領域における同方向の寸法の略半分に設定されている。また、遮光本体後段部９１には、−Ｘ側端部から−Ｘ方向に突出する取付部９４が形成されており、取付部９４の端部近傍には、丸穴９４１が設けられている。
【００５２】
遮光本体前段部９３は、長手方向の寸法が遮光本体後段部９１の長手方向の寸法と同寸法に形成され、短手方向の寸法が遮光本体後段部９１の短手方向の寸法より小さく形成されている。つまり、遮光本体前段部９３は、遮光本体後段部９１の−Ｙ側の端部９１１が遮光本体前段部９３の端部９３２より−Ｙ方向に突出するように形成されている。また、遮光本体前段部９３には、端部９３２から所定の距離を有し、光束の通過可能な矩形状の光束通過孔９３１が複数設けられている。
【００５３】
遮光部材９は、丸穴９４１にネジが挿通されて、第３ギア５４に取り付けられる。具体的に、遮光部材９は、図３、図４に示すように、遮光本体後段部９１が遮光本体前段部９３の＋Ｚ側に位置し、継合部９２が＋Ｙ側となるように第３ギア５４に直接的に保持される。つまり、遮光部材９は、遮光本体後段部９１が遮光本体前段部９３の光路後段側に位置し、端部９１１，９３２が光軸Ｌ側となるように配置される。
遮光部材９は、遮光本体後段部９１および遮光本体前段部９３の−Ｚ側となる入射側端面９１Ａ，９３Ａに入射した光束を遮光する。具体的に、遮光部材９は、入射側端面９１Ａ，９３Ａの端部９１１，９３２から継合部９２に向かう部位にて光束を遮光する。
このように、遮光本体後段部９１および遮光本体前段部９３は、互いの一端側が継合部９２によって繋がり、他端（端部９１１，９３２）側から一端側に向かう部位にて光束を遮光するように形成されている。
【００５４】
遮光部材８は、前述したように、遮光部材９と略対称に形成され、図３、図４に示すように、遮光本体部としての互いに離間する遮光本体後段部８１および遮光本体前段部８３と、継合部８２とを有している。そして、遮光本体後段部８１には、取付部８４が設けられ、遮光本体前段部８３には、光束通過孔８３１が設けられている。遮光部材８は、ネジによって第２ギア５３に取り付けられ、遮光部材９と同様に、遮光本体後段部８１が遮光本体前段部８３の光路後段側に位置し、端部８１１，８３２が光軸Ｌ側となるように配置される。
【００５５】
遮光部材８は、遮光部材９と同様に、遮光本体後段部８１および遮光本体前段部８３の−Ｚ側となる入射側端面８１Ａ，８３Ａの端部８１１，８３２から継合部８２に向かう部位にて光束を遮光する。
このように、遮光本体後段部８１および遮光本体前段部８３は、互いの一端側が継合部８２によって繋がり、他端（端部８１１，８３２）側から一端側に向かう部位にて光束を遮光するように形成されている。
【００５６】
ここで、調光装置５の動作について説明する。
遮光部材８，９は、モーター５１が駆動されると、第１ギア５２を介して第２ギア５３および第３ギア５４が回転することよって互いに近接離間するように回動され、透過領域内に配置される部分が変わる。そして、遮光部材８，９は、前述したように、透過領域内に配置される部分に応じた量の光束を遮光する。遮光されずに遮光部材８と遮光部材９との間を通過した光束は、第２レンズアレイ３２２に射出される。
【００５７】
図６は、調光装置５の動作を説明するための模式図であり、第１レンズアレイ３２１、第２レンズアレイ３２２および遮光部材８，９を後方（−Ｘ方向）から見た図である。具体的に、図６（ａ）は、遮光部材８，９が互いに最も近接するように透過領域内に配置された状態を示す図、図６（ｂ）は、遮光部材８，９が図６（ａ）における状態から回動され、遮光本体前段部８３，９３が透過領域外に位置する状態を示す図である。なお、図６は、各構成要素を図面上で認識され得る程度の大きさとするため、各構成要素の寸法や比率を実際のものとは適宜異ならせてある。
【００５８】
図６（ａ）に示すように、遮光部材８，９が互いに最も近接するように透過領域内に配置された場合、第１レンズアレイ３２１から射出された光束は、遮光部材８，９によって大部分が遮光され、遮光部材８，９同士が隣接する隙間から通過した僅かな光束Ｌ１が第２レンズアレイ３２２に入射する。具体的に、第１レンズアレイ３２１から射出された光束は、図６（ａ）に示すように、入射側端面８１Ａ，９１Ａに入射する光束Ｌ２、入射側端面８３Ａ，９３Ａに入射する光束Ｌ３、および光束通過孔８３１，９３１を通過し、入射側端面８１Ａ，９１Ａに入射する光束Ｌ４が遮光され、端部８１１と端部９１１との間から通過した光束Ｌ１が第２レンズアレイ３２２に入射する。
【００５９】
一方、遮光部材８，９が互いに接近する状態から離間するように回動されると、つまり、透過領域内に配置される部分が小さくなるように回動されると、遮光部材８，９によって遮光される光束の光量は減少し、より多くの光量の光束が第２レンズアレイ３２２に入射する。具体的に、遮光本体前段部８３，９３が透過領域外に位置するように遮光部材８，９が回動されると、図６（ｂ）に示すように、第１レンズアレイ３２１から射出された光束は、入射側端面８１Ａ，９１Ａの端部８１１，９１１から継合部８２，９２に向かう部位に入射する光束Ｌ２のみが遮光され、端部８１１と端部９１１との間から通過した光束Ｌ１が第２レンズアレイ３２２に入射する。
【００６０】
このように、調光装置５は、遮光部材８，９が透過領域内に配置される部分が変更され、遮光部材８，９に入射する光束を遮光して光量を調整する。そして、遮光部材８は、遮光本体後段部８１および遮光本体前段部８３が入射する光束を分離して遮光し、遮光部材９は、遮光本体後段部９１および遮光本体前段部９３が入射する光束を分離して遮光する。
【００６１】
以上説明したように、本実施形態のプロジェクター１によれば、以下の効果を得ることができる。
（１）遮光部材８は、遮光本体後段部８１および遮光本体前段部８３が入射する光束を分離して遮光する。これによって、遮光部材８には、光エネルギーが分散して吸収されるので、遮光部材８は、光束を分離せずに遮光するように構成した場合に比べて、温度上昇の抑制が図れる。同様に、遮光部材９は、遮光本体後段部９１および遮光本体前段部９３が入射する光束を分離して遮光するので、温度上昇の抑制が図れる。よって、遮光部材８，９をそれぞれ保持する第２ギア５３、第３ギア５４、および遮光部材８，９近傍に配置されているモーター５１や第１ギア５２の温度上昇も抑制され、調光装置５は、熱変形等が抑えられ、精度良く遮光部材８，９の位置を変えることが可能となる。したがって、プロジェクター１は、調光装置５が適正に光量を調整し、コントラスト等の画像品質を安定的に維持して投写することが可能となる。
【００６２】
（２）遮光部材８，９の温度上昇が抑制されるので、遮光部材８，９の近傍に配置されている光学部品、例えば、第１レンズアレイ３２１、第２レンズアレイ３２２や偏光変換素子３２３等の温度上昇も抑制されるので、プロジェクター１は、画像品質を維持して投写することが可能となる。
【００６３】
（３）遮光本体後段部８１および遮光本体前段部８３は、互いに一端側が継合部８２によって繋がり、他端（端部８１１，８３２）側から継合部８２に向かう部位にて光束を遮光するように形成されている。これによって、遮光本体後段部８１および遮光本体前段部８３は、光束を遮光することに伴ってそれぞれ端部８１１，８３２側から発熱するが、この熱は、継合部８２を経由して遮光本体前段部８３、遮光本体後段部８１にそれぞれ伝導される。つまり、遮光本体後段部８１および遮光本体前段部８３は、互いに中間部や複数の端部で繋がっている場合に比べて、遮光本体後段部８１と遮光本体前段部８３との間の熱の伝導路を長く形成することが可能となる。よって、この伝導路において熱が分散するので、さらに遮光部材８の温度上昇の抑制が可能となる。同様に、遮光本体後段部９１および遮光本体前段部９３は、互いに一端側が継合部９２によって繋がり、他端（端部９１１，９３２）側から継合部９２に向かう部位にて光束を遮光するように形成されているので、遮光部材９の温度上昇の抑制が可能となる。
【００６４】
（４）遮光本体前段部８３，９３には、光束通過孔８３１，９３１がそれぞれ設けられ、遮光本体後段部８１，９１は、光束通過孔８３１，９３１を通過した光束を遮光するように形成されている。これによって、遮光本体部の数を抑制して遮光する光束を効率的に分離することが可能になるので、遮光部材８，９の簡素な形状や、遮光部材８，９の小型化が図れる。
【００６５】
（５）遮光本体前段部８３は、断面積が光束通過孔８３１の周縁で小さくなるので、入射側端面８３Ａの端部８３２から継合部８２に向かう部位で遮光することに伴って発熱した熱は、継合部８２、遮光本体後段部８１ひいては、取付部８４に伝わりにくくなる。よって、取付部８４が直接取り付けられている第２ギア５３の温度上昇がさらに抑制される。
同様に、遮光本体前段部９３は、断面積が光束通過孔９３１の周縁で小さくなるので、入射側端面９３Ａの端部９３２から継合部９２に向かう部位で遮光することに伴って発熱した熱は、継合部９２、遮光本体後段部９１ひいては、取付部９４に伝わりにくくなる。よって、取付部９４が直接取り付けられている第３ギア５４の温度上昇がさらに抑制される。
【００６６】
（６）光束通過孔８３１，９３１を空気の流通路として構成することで、遮光本体前段部８３と遮光本体後段部８１との間、および遮光本体前段部９３と遮光本体後段部９１との間に効率よく空気を流通させることが可能になる。これによって、それぞれの両者間に熱が篭ることを抑制し、さらに遮光部材８，９の温度上昇の抑制が図れる。
【００６７】
（第２実施形態）
次に、第２実施形態に係るプロジェクター１について、図面を参照して説明する。
以下の説明では、第１実施形態と同様の構造および同様の部材には、同一符号を付し、その詳細な説明は省略または簡略化する。
本実施形態のプロジェクター１は、第１実施形態の遮光部材８，９とそれぞれ形状の異なる遮光部材１８，１９を備えている。遮光部材１８，１９は、遮光部材８，９と同様に、互いに略対称となるように形成され、第２ギア５３、第３ギア５４にそれぞれ取り付けられている。遮光部材１８，１９は、遮光部材８，９と同様に、第２ギア５３、第３ギア５４の回転に伴って回動して位置が変更され、透過領域内に配置される部分が変更される。そして、遮光部材１８，１９は、透過領域内に配置された部分に応じた量の光束を遮光する。
【００６８】
図７は、第１レンズアレイ３２１、第２レンズアレイ３２２および遮光部材１８，１９の模式図であり、後方から見た図である。具体的に、図７（ａ）は、遮光部材１８，１９が互いに最も近接するように透過領域内に配置された状態を示す図、図７（ｂ）は、遮光部材１８，１９が図７（ａ）における状態より離間するように回動された状態の図である。なお、図７は、各構成要素を図面上で認識され得る程度の大きさとするため、各構成要素の寸法や比率を実際のものとは適宜異ならせてある。
【００６９】
遮光部材１９は、アルミニウム等の板材で形成され、図７に示すように、３つの遮光本体部１９１，１９２，１９３および継合部１９４を備えている。
遮光本体部１９１，１９２，１９３は、Ｘ方向が長手方向となるそれぞれ平面視長方形の板体であり、長手方向が同一寸法に形成され、短手方向の寸法が遮光本体部１９３，１９２，１９１の順で長く形成されている。つまり、遮光本体部１９１は、３つの遮光本体部１９１，１９２，１９３の中で表面積が最も大きくなるように形成されている。そして、遮光部材１９は、図７に示すように、遮光本体部１９１，１９２，１９３が互いに略平行に配置され、短手方向の一方の端部が継合部１９４によって繋がって形成されている。このように、遮光本体部１９１，１９２，１９３は、それぞれが互いに離間し、一端側が継合部１９４によって繋がり、他端（端部１９１１，１９２１，１９３１）側が互いに空隙を有するように形成されている。
【００７０】
遮光部材１９は、図７（ａ）に示すように、遮光本体部１９１が遮光本体部１９３より光路後段側に位置し、端部１９１１，１９２１，１９３１が光軸Ｌ側となるように第３ギア５４に保持される。また、遮光部材１９は、遮光部材１８と最も近接するように透過領域内に配置される状態において、遮光本体部１９１，１９２，１９３の−Ｚ側となる入射側端面１９１Ａ，１９２Ａ，１９３Ａが光軸Ｌに対して＋Ｚ側に鋭角を有して傾斜するように保持される。そして、遮光部材１９は、入射側端面１９１Ａ，１９２Ａ，１９３Ａに入射した光束を遮光する。具体的に、遮光部材１９は、入射側端面１９１Ａ，１９２Ａ，１９３Ａの端部１９１１，１９２１，１９３１から継合部１９４に向かう部位にて光束を遮光する。
【００７１】
遮光部材１８は、前述したように、遮光部材１９と略対称となるように形成され、図７（ａ）に示すように、遮光本体部１８１，１８２，１８３および継合部１８４を有している。そして、遮光部材１８は、遮光部材１９と略対称の姿勢で第２ギア５３に保持される。遮光部材１８は、遮光部材１９と同様に、遮光本体部１８１，１８２，１８３の−Ｚ側となる入射側端面１８１Ａ，１８２Ａ，１８３Ａの端部１８１１，１８２１，１８３１から継合部１８４に向かう部位にて光束を遮光する。
【００７２】
図７（ａ）に示すように、第１レンズアレイ３２１から射出された光束は、入射側端面１８１Ａ，１９１Ａに入射する光束Ｌ１１、入射側端面１８２Ａ，１９２Ａに入射する光束Ｌ１２、および入射側端面１８３Ａ，１９３Ａに入射する光束Ｌ１３が遮光され、端部１８１１と端部１９１１との間から通過した光束Ｌ１０が第２レンズアレイ３２２に入射する。
【００７３】
一方、図７（ｂ）に示すように、遮光本体部１８２，１８３および遮光本体部１９２，１９３が透過領域外に位置するように遮光部材１８，１９が回動されると、第１レンズアレイ３２１から射出された光束は、入射側端面１８１Ａ，１９１Ａの端部１８１１，１９１１から継合部１８４，１９４に向かう部位に入射する光束Ｌ１１のみが遮光され、端部１８１１と端部１９１１との間から通過した光束Ｌ１０が第２レンズアレイ３２２に入射する。
【００７４】
このように、遮光部材１８，１９は、互いに最も近接するように透過領域内に配置された状態、つまり最も大きな光量の光束を遮光する状態において、入射側端面１８１Ａ，１８２Ａ，１８３Ａおよび入射側端面１９１Ａ，１９２Ａ，１９３Ａが光軸Ｌに対して傾斜するように配置され、透過領域内に配置される部分が変更されることによって、遮光部材１８，１９に入射する光束を遮光して光量を調整する。そして、遮光部材１８は、遮光本体部１８１，１８２，１８３が入射する光束を分離して遮光し、遮光部材１９は、遮光本体部１９１，１９２，１９３が入射する光束を分離して遮光する。また、遮光本体部１８１，１９１は、図７（ａ）、（ｂ）に示すように、調光装置５が光量を調整する広範囲に亘って光束を遮光する。
【００７５】
以上説明したように、本実施形態のプロジェクター１によれば、第１実施形態の効果（１）〜（３）に加えて、以下の効果を得ることができる。
（１）遮光部材１８，１９は、最も大きな光量の光束を遮光する状態において、入射側端面１８１Ａ，１８２Ａ，１８３Ａおよび入射側端面１９１Ａ，１９２Ａ，１９３Ａが光軸Ｌに対して傾斜するように形成されている。これによって、遮光部材１８，１９は、入射側端面が光軸Ｌに対して略直交するように形成されている場合に比べて、表面積が大きく形成されるので、温度上昇がさらに抑制される。
【００７６】
（２）遮光本体部１８１および遮光本体部１９１は、遮光本体部１８２，１８３、および遮光本体部１９２，１９３よりそれぞれ表面積が大きく形成されている。そして、この遮光本体部１８１，１９１は、調光装置５が光量を調整する広範囲に亘って光束を遮光するように構成されている。これによって、遮光本体部１８１および遮光本体部１９１から遮光本体部１８２，１８３、および遮光本体部１９２，１９３にそれぞれ伝導される熱の損失が効率的に図れ、さらに遮光部材１８，１９の温度上昇の抑制が可能となる。
【００７７】
（第３実施形態）
次に、第３実施形態に係るプロジェクター１について、図面を参照して説明する。
以下の説明では、第１実施形態と同様の構造および同様の部材には、同一符号を付し、その詳細な説明は省略または簡略化する。
本実施形態のプロジェクター１は、第１実施形態の調光装置５と構成の異なる調光装置を備えている。
本実施形態の調光装置は、第１実施形態の遮光部材８，９と形状の異なる遮光部材２８，２９、および遮光部材２８，２９を保持し、遮光部材２８，２９の位置を変えるために移動する位置変更部を備えている。そして、調光装置は、この位置変更部がそれぞれ移動されることによって遮光部材２８，２９が透過領域に配置される部分が変更され、第２レンズアレイ３２２に射出する光量を調整する。
【００７８】
図８は、遮光部材２８，２９を説明するための模式図である。具体的に、図８は、第１レンズアレイ３２１、第２レンズアレイ３２２および遮光部材２８，２９を上方（＋Ｙ方向）から見た図であり、遮光部材２８，２９が最も多くの光束を遮光するように位置付けられた状態を示す図である。なお、図８は、各構成要素を図面上で認識され得る程度の大きさとするため、各構成要素の寸法や比率を実際のものとは適宜異ならせてある。
遮光部材２８，２９は、図８に示すように、光軸Ｌを通るＹＺ平面に対して互いに略対称となるように形成されており、遮光部材２８が後側（−Ｘ側）、遮光部材２９が前側（＋Ｘ側）に配置される。遮光部材２８，２９は、最も多くの光束を遮光するように位置付けられた状態において、互いに最も近接するように配置される。そして、位置変更部が移動されると、遮光部材２８は、−Ｘ方向に移動され、遮光部材２９は、＋Ｘ方向に移動されて透過領域内に配置される部分が変更される。
【００７９】
遮光部材２９は、アルミニウム等の板材で形成され、図８に示すように、３つの遮光本体部２９１，２９２，２９３および継合部２９４を備えている。
遮光本体部２９１，２９２，２９３は、Ｙ方向が長手方向となるそれぞれ平面視長方形の板体であり、長手方向および短手方向が同一寸法に形成されている。そして、遮光部材２９は、図８に示すように、遮光本体部２９１，２９２，２９３が互いに略平行に配置され、短手方向の一方の端部が継合部２９４によって繋がって形成されている。このように、遮光本体部２９１，２９２，２９３は、それぞれが互いに離間し、一端側が継合部２９４によって繋がり、他端（端部２９１１，２９２１，２９３１）側が互いに空隙を有するように形成されている。
【００８０】
また、遮光部材２９は、遮光本体部２９１，２９２，２９３の−Ｚ側となる入射側端面２９１Ａ，２９２Ａ，２９３Ａが光軸Ｌに対して＋Ｚ側に鋭角を有して傾斜するように位置変更部に保持される。そして、遮光部材２９は、入射側端面２９１Ａ，２９２Ａ，２９３Ａの端部２９１１，２９２１，２９３１から継合部２９４に向かう部位にて光束を遮光する。
【００８１】
遮光部材２８は、前述したように、遮光部材２９と略対称に形成され、図８に示すように、遮光本体部２８１，２８２，２８３および継合部２８４を有している。そして、遮光部材２８は、遮光部材２９と略対称の姿勢で位置変更部に保持される。遮光部材２８は、遮光部材２９と同様に、−Ｚ側となる入射側端面２８１Ａ，２８２Ａ，２８３Ａの端部２８１１，２８２１，２８３１から継合部１８４に向かう部位にて光束を遮光する。
【００８２】
図８に示すように、第１レンズアレイ３２１から射出された光束は、入射側端面２８１Ａ，２９１Ａに入射する光束Ｌ２１、入射側端面２８２Ａ，２９２Ａに入射する光束Ｌ２２、および入射側端面２８３Ａ，２９３Ａに入射する光束Ｌ２３が遮光され、端部２８１１と端部２９１１との間から通過した光束Ｌ２０が第２レンズアレイ３２２に入射する。
【００８３】
図示は省略するが、前述したように、位置変更部が移動されると、遮光部材２８、２９は、−Ｘ方向、＋Ｘ方向にそれぞれ移動されて透過領域内に配置される部分が変更される。そして、遮光部材２８，２９は、透過領域内に配置された部分に応じた量の光束、つまり、端部２８１１，２８２１，２８３１から継合部２８４に向かう部位、および端部２９１１，２９２１，２９３１から継合部２９４に向かう部位に入射した光束を遮光する。
【００８４】
以上説明したように、本実施形態のプロジェクター１によれば、第１実施形態の効果（１）〜（３）および第２実施形態の効果（１）に加えて、以下の効果を得ることができる。
（１）本実施形態の調光装置は、遮光部材２８，２９が前後方向に移動されるように構成されているので、遮光部材２８，２９を移動させるためのスペースを上下方向に設ける必要がなく、プロジェクター１の薄型化が図れる。
【００８５】
（変形例）
なお、前記実施形態は、以下のように変更してもよい。
第１実施形態の取付部８４，９４は、遮光本体後段部８１，９１からそれぞれ突出するように形成されているが、遮光本体前段部８３，９３からそれぞれ突出するように形成してもよい。
【００８６】
遮光部材８，９，１８，１９，２８，２９は、板材で形成されているが、射出成型や押出し加工等によって形成してもよい。
【００８７】
第１実施形態の遮光部材８，９は、直接的に第２ギア５３、第３ギア５４に取り付けられるように構成されているが、遮光部材８，９と第２ギア５３、第３ギア５４との間に他の部材をそれぞれ介在させて間接的に保持されるように構成してもよい。
【００８８】
前記実施形態のプロジェクター１は、光変調装置として透過型の液晶パネル３５２を用いているが、反射型の液晶パネルを利用したものであってもよい。また、光変調装置は、マイクロミラーアレイを用いたデバイス等を使用したものであってもよい。
【００８９】
前記実施形態のプロジェクター１は、フロントタイプのプロジェクター１として適用しているが、投写対象面としてのスクリーンを一体で有するリアタイプのプロジェクターにも適用できる。
【符号の説明】
【００９０】
１…プロジェクター、２…外装筐体、３…光学ユニット、５…調光装置、８，９，１８，１９，２８，２９…遮光部材、３５…電気光学装置、３６…投写レンズ、５３…第２ギア、５４…第３ギア、８１，９１…遮光本体後段部、８１Ａ，８３Ａ，９１Ａ，９３Ａ，１８１Ａ，１８２Ａ，１８３Ａ，１９１Ａ，１９２Ａ，１９３Ａ，２８１Ａ，２８２Ａ，２８３Ａ，２９１Ａ，２９２Ａ，２９３Ａ…入射側端面、８２，９２，１８４，１９４，２８４，２９４…継合部、８３，９３…遮光本体前段部、８４，９４…取付部、１８１，１８２，１８３，１９１，１９２，１９３，２８１，２８２，２８３，２９１，２９２，２９３…遮光本体部、３１１…光源、３５２…液晶パネル、８１１，８３２，９１１，９３２，１８１１，１８２１，１８３１，１９１１，１９２１，１９３１，２８１１，２８２１，２８３１，２９１１，２９２１，２９３１…端部、８３１，９３１…光束通過孔。
【図１】
2010243976.tif 000003
【図２】
2010243976.tif 000004
【図３】
2010243976.tif 000005
【図４】
2010243976.tif 000006
【図５】
2010243976.tif 000007
【図６】
2010243976.tif 000008
【図７】
2010243976.tif 000009
【図８】
2010243976.tif 000010